(57)【要約】【課題】テープカセットに収納された印字テープの種類を判別することと印字装置の蓋体が閉状態であることを判別することを一緒に行うことができるテープカセットと印字装置を提供すること。【解決手段】印字装置１にテープカセット１０１が装着された場合には、テープカセット１０１の可動子１２１が印字装置１のテープ種類判別装置１１に対向して位置するとともに、印字装置１の蓋体２が開状態にあるときは、テープカセット１０１の第１突起部１２３がテープカセット１０１の第１ケース開口部１１２から突出した付勢状態にある。蓋体２が閉状態になると、蓋体２が第１突起部１２３に圧接して、可動子１２１がテープカセット１０１の第２ケース開口部１１３に向かって移動し、テープカセット１０１の第２突起部１２４が第２ケース開口部１１３を通してテープ種類判別装置１１に検出される。【選択図】図５
2011046142.tif 000002
【特許請求の範囲】
【請求項１】
テープ種類判別装置が設けられているカセット装着部と前記カセット装着部を覆うための開閉可能な蓋体とを有する印字装置に対し、着脱自在に装着されるテープカセットであって、
印字テープが収納されたカセットケースと、
前記カセットケース内を往復移動することが可能な可動子と、
前記可動子の一部として前記可動子の往復移動上の一方向に突出する第１突起部と、
前記可動子の一部として前記一方向とは反対方向に突出する一又は複数の第２突起部と、
前記第１突起部が臨めるように前記カセットケースに設けられた第１ケース開口部と、
前記第２突起部が臨めるように前記カセットケースに設けられた一又は複数の第２ケース開口部と、を備え、
前記印字装置のカセット装着部に当該テープカセットが装着された場合に、前記可動子が前記印字装置のテープ種類判別装置に対向して位置するとともに、前記印字装置の蓋体が開状態にあるときは、前記第１突起部が前記第１ケース開口部から突出した付勢状態にあり、前記印字装置の蓋体が開状態から閉状態になると、前記印字装置の蓋体が前記第１突起部に圧接して、前記可動子が前記第２ケース開口部に向かって移動し、前記第２突起部が前記第２ケース開口部を通して前記印字装置のテープ種類判別装置に検出されることによって、前記印字テープの種類が前記印字装置のテープ種類判別装置で判別可能な状態になると同時に、前記印字装置の蓋体の閉状態が前記印字装置のテープ種類判別装置で判別可能な状態になること、を特徴とするテープカセット。
【請求項２】
前記可動子と前記第１ケース開口部とをそれぞれ複数備える一方で、
前記可動子の各々には、前記第２突起部が一つのみ設けられていること、を特徴とする請求項１に記載のテープカセット。
【請求項３】
前記カセットケースに設けられたケース挿入口部を備え、
前記印字装置のカセット装着部に当該テープカセットが装着された場合に、前記印字装置のカセット装着部に設けられている印字装置側付勢部材が、前記ケース挿入口部に差し込まれて前記可動子に圧接することによって、前記第１突起部が前記第１ケース開口部から突出した付勢状態を保持すること、を特徴とする請求項１又は２に記載のテープカセット。
【請求項４】
前記第１突起部が前記第１ケース開口部から突出した付勢状態を保持するためのテープカセット側付勢部材を前記カセットケース内に設けたこと、を特徴とする請求項１又は２に記載のテープカセット。
【請求項５】
前記第１ケース開口部又は前記第２ケース開口部に前記第１突起部又は前記第２突起部が摺動する案内リブを設けたこと、を特徴とする請求項１乃至４のいずれか一つに記載のテープカセット。
【請求項６】
テープカセット及び印字装置であって、
当該テープカセットは、
印字テープが収納されたカセットケースと、
前記カセットケース内を往復移動することが可能な可動子と、
前記可動子の一部として前記可動子の往復移動上の一方向に突出する第１突起部      と、
前記可動子の一部として前記一方向とは反対方向に突出する一又は複数の第２突      起部と、
前記第１突起部が臨めるように前記カセットケースに設けられた第１ケース開口      部と、
前記第２突起部が臨めるように前記カセットケースに設けられた一又は複数の第      ２ケース開口部と、を備え、
当該印字装置は、
当該テープカセットが着脱自在に装着され、
テープ種類判別装置と、
前記テープ種類判別装置が設けられたカセット装着部と、
前記カセット装着部を覆うための開閉可能な蓋体と、を有し、
当該印字装置のカセット装着部に当該テープカセットが装着された場合に、当該テープカセットの可動子が当該印字装置のテープ種類判別装置に対向して位置するとともに、当該印字装置の蓋体が開状態にあるときは、当該テープカセットの第１突起部が当該テープカセットの第１ケース開口部から突出した付勢状態にあり、当該印字装置の蓋体が開状態から閉状態になると、当該印字装置の蓋体が当該テープカセットの第１突起部に圧接して、当該テープカセットの可動子が当該テープカセットの第２ケース開口部に向かって移動し、当該テープカセットの第２突起部が当該テープカセットの第２ケース開口部を通して当該印字装置のテープ種類判別装置に検出されることによって、当該テープカセットの印字テープの種類が当該印字装置のテープ種類判別装置で判別可能な状態になると同時に、当該印字装置の蓋体の閉状態が当該印字装置のテープ種類判別装置で判別可能な状態になること、を特徴とするテープカセット及び印字装置。
【請求項７】
当該テープカセットは、
前記可動子と前記第１ケース開口部とをそれぞれ複数備える一方で、
前記可動子の各々には、前記第２突起部が一つのみ設けられていること、
を特徴とする請求項６に記載のテープカセット及び印字装置。
【請求項８】
当該テープカセットは、
前記カセットケースに設けられたケース挿入口部を備え、
当該印字装置は、
前記カセット装着部に設けられた印字装置側付勢部材を有し、
当該印字装置のカセット装着部に当該テープカセットが装着された場合に、当該印字装置の印字装置側付勢部材が、当該テープカセットのケース挿入口部に差し込まれて当該テープカセットの可動子に圧接することによって、当該テープカセットの第１突起部が当該テープカセットの第１ケース開口部から突出した付勢状態を保持すること、を特徴とする請求項６又は７に記載のテープカセット及び印字装置。
【発明の詳細な説明】
【技術分野】
【０００１】
本発明は、テープカセットに収納された印字テープの種類を判別することや印字装置に開閉可能に設けられた蓋体の閉状態を判別することが可能なテープカセットと印字装置に関するものである。
【背景技術】
【０００２】
テープカセットに収納された印字テープの種類を印字装置に判別させる技術が従来より存在する。その技術では、印字装置のカセット装着部にテープカセットが装着された際において、印字テープの種類の判別が印字装置により行われるようにするために、テープカセットに可動子が設けられるとともに、その可動子を検出するテープ種類判別装置が印字装置のカセット装着部に設けられていた（例えば、下記特許文献１参照）。
また、その一方で、印字装置のカセット装着部を覆う蓋体が閉じられているかどうかを印字装置に判別させる技術が従来より存在する。その技術では、印字装置のカセット装着部において、蓋体が閉じられていることを検出する開閉スイッチが設けられていた（例えば、下記特許文献２参照）。
【先行技術文献】
【特許文献】
【０００３】
【特許文献１】特許第２９９８６１７号公報（第１５−１８図）
【特許文献２】特開２００９−２８９７６号公報（第５図）
【発明の概要】
【発明が解決しようとする課題】
【０００４】
しかしながら、蓋体が閉じられているかどうかの判別や印字テープの種類の判別がいずれも可能な印字装置においては、開閉スイッチとテープ種類判別装置とが別個に設けられ、それに伴い、センサ数が増大し、センサ用回路が複雑となるとともに、さらに、双方の判別のための処理制御も各センサの検出結果に基づいて別々に行われていたため、コストアップにつながっていた。
【０００５】
そこで、本発明は、上述した点を鑑みてなされたものであり、テープカセットに収納された印字テープの種類を判別することと印字装置の蓋体が閉状態であることを判別することを一緒に行うことができるテープカセットと印字装置を提供することを課題とする。
【課題を解決するための手段】
【０００６】
この課題を解決するためになされた請求項１に係る発明は、テープ種類判別装置が設けられているカセット装着部と前記カセット装着部を覆うための開閉可能な蓋体とを有する印字装置に対し、着脱自在に装着されるテープカセットであって、印字テープが収納されたカセットケースと、前記カセットケース内を往復移動することが可能な可動子と、前記可動子の一部として前記可動子の往復移動上の一方向に突出する第１突起部と、前記可動子の一部として前記一方向とは反対方向に突出する一又は複数の第２突起部と、前記第１突起部が臨めるように前記カセットケースに設けられた第１ケース開口部と、前記第２突起部が臨めるように前記カセットケースに設けられた一又は複数の第２ケース開口部と、を備え、前記印字装置のカセット装着部に当該テープカセットが装着された場合に、前記可動子が前記印字装置のテープ種類判別装置に対向して位置するとともに、前記印字装置の蓋体が開状態にあるときは、前記第１突起部が前記第１ケース開口部から突出した付勢状態にあり、前記印字装置の蓋体が開状態から閉状態になると、前記印字装置の蓋体が前記第１突起部に圧接して、前記可動子が前記第２ケース開口部に向かって移動し、前記第２突起部が前記第２ケース開口部を通して前記印字装置のテープ種類判別装置に検出されることによって、前記印字テープの種類が前記印字装置のテープ種類判別装置で判別可能な状態になると同時に、前記印字装置の蓋体の閉状態が前記印字装置のテープ種類判別装置で判別可能な状態になること、を特徴とする。
【０００７】
また、請求項２に係る発明は、請求項１に記載のテープカセットであって、前記可動子と前記第１ケース開口部とをそれぞれ複数備える一方で、前記可動子の各々には、前記第２突起部が一つのみ設けられていること、を特徴とする。
【０００８】
また、請求項３に係る発明は、請求項１又は２に記載のテープカセットであって、前記カセットケースに設けられたケース挿入口部を備え、前記印字装置のカセット装着部に当該テープカセットが装着された場合に、前記印字装置のカセット装着部に設けられている印字装置側付勢部材が、前記ケース挿入口部に差し込まれて前記可動子に圧接することによって、前記第１突起部が前記第１ケース開口部から突出した付勢状態を保持すること、を特徴とする。
【０００９】
また、請求項４に係る発明は、請求項１又は２に記載のテープカセットであって、前記第１突起部が前記第１ケース開口部から突出した付勢状態を保持するためのテープカセット側付勢部材を前記カセットケース内に設けたこと、を特徴とする。
【００１０】
また、請求項５に係る発明は、請求項１乃至４のいずれか一つに記載のテープカセットであって、前記第１ケース開口部又は前記第２ケース開口部に前記第１突起部又は前記第２突起部が摺動する案内リブを設けたこと、を特徴とする。
【００１１】
また、請求項６に係る発明は、テープカセット及び印字装置であって、当該テープカセットは、印字テープが収納されたカセットケースと、前記カセットケース内を往復移動することが可能な可動子と、前記可動子の一部として前記可動子の往復移動上の一方向に突出する第１突起部と、前記可動子の一部として前記一方向とは反対方向に突出する一又は複数の第２突起部と、前記第１突起部が臨めるように前記カセットケースに設けられた第１ケース開口部と、前記第２突起部が臨めるように前記カセットケースに設けられた一又は複数の第２ケース開口部と、を備え、当該印字装置は、当該テープカセットが着脱自在に装着され、テープ種類判別装置と、前記テープ種類判別装置が設けられたカセット装着部と、前記カセット装着部を覆うための開閉可能な蓋体と、を有し、当該印字装置のカセット装着部に当該テープカセットが装着された場合に、当該テープカセットの可動子が当該印字装置のテープ種類判別装置に対向して位置するとともに、当該印字装置の蓋体が開状態にあるときは、当該テープカセットの第１突起部が当該テープカセットの第１ケース開口部から突出した付勢状態にあり、当該印字装置の蓋体が開状態から閉状態になると、当該印字装置の蓋体が当該テープカセットの第１突起部に圧接して、当該テープカセットの可動子が当該テープカセットの第２ケース開口部に向かって移動し、当該テープカセットの第２突起部が当該テープカセットの第２ケース開口部を通して当該印字装置のテープ種類判別装置に検出されることによって、当該テープカセットの印字テープの種類が当該印字装置のテープ種類判別装置で判別可能な状態になると同時に、当該印字装置の蓋体の閉状態が当該印字装置のテープ種類判別装置で判別可能な状態になること、を特徴とする。
【００１２】
また、請求項７に係る発明は、請求項６に記載のテープカセット及び印字装置であって、当該テープカセットは、前記可動子と前記第１ケース開口部とをそれぞれ複数備える一方で、前記可動子の各々には、前記第２突起部が一つのみ設けられていること、を特徴とする。
【００１３】
また、請求項８に係る発明は、請求項６又は７に記載のテープカセット及び印字装置であって、当該テープカセットは、前記カセットケースに設けられたケース挿入口部を備え、当該印字装置は、前記カセット装着部に設けられた印字装置側付勢部材を有し、当該印字装置のカセット装着部に当該テープカセットが装着された場合に、当該印字装置の印字装置側付勢部材が、当該テープカセットのケース挿入口部に差し込まれて当該テープカセットの可動子に圧接することによって、当該テープカセットの第１突起部が当該テープカセットの第１ケース開口部から突出した付勢状態を保持すること、を特徴とする。
【発明の効果】
【００１４】
すなわち、本発明のテープカセットと印字装置では、当該印字装置のカセット装着部に当該テープカセットが装着された場合に、当該テープカセットの可動子が当該印字装置のテープ種類判別装置に対向して位置するとともに、当該印字装置の蓋体が開状態にあるときは、当該テープカセットの第１突起部が当該テープカセットの第１ケース開口部から突出した付勢状態にあり、当該印字装置の蓋体が開状態から閉状態になると、当該印字装置の蓋体が当該テープカセットの第１突起部に圧接して、当該テープカセットの可動子が当該テープカセットの第２ケース開口部に向かって移動し、当該テープカセットの第２突起部が当該テープカセットの第２ケース開口部を通して当該印字装置のテープ種類判別装置に検出されることによって、当該テープカセットの印字テープの種類が当該印字装置のテープ種類判別装置で判別可能な状態になると同時に、当該印字装置の蓋体の閉状態が当該印字装置のテープ種類判別装置で判別可能な状態になることから、当該テープカセットに収納された印字テープの種類を判別することと当該印字装置の蓋体が閉状態であることを判別することを一緒に行うことができる。
【００１５】
従って、本発明のテープカセットと印字装置では、当該印字装置の蓋体が開状態にあるときは、当該テープカセットの第１突起部が当該テープカセットの第１ケース開口部から突出した付勢状態にあるが、このような状態にあるときは、当該テープカセットの第２突起部を当該印字装置のテープ種類判別装置が検出することができず、ひいては、当該テープカセットの印字テープの種類が当該印字装置のテープ種類判別装置で判別することができないので、当該テープカセットの印字テープの種類が判別できない状態を利用して、当該印字装置の蓋体が開状態であることを判別することも可能となる。
【００１６】
このようにして、本発明のテープカセットと印字装置では、当該テープカセットの可動子と当該印字装置のテープ種類判別装置が協働することによって、当該テープカセットに収納された印字テープの種類が判別され、さらに、当該印字装置の蓋体が閉状態であることが一緒に判別されることから、テープ種類判別装置という一つのセンサ装置で双方の判別を行うことが可能となり、もって、センサ用回路の複雑化の防止が実現し、双方の判別のための処理制御を一緒に行うことができるので、双方の判別が可能となっても、印字装置のコストアップを阻止することが可能となる。
【００１７】
また、本発明のテープカセットと印字装置では、当該印字装置のカセット装着部に当該テープカセットが装着された場合に、当該印字装置の印字装置側付勢部材が、当該テープカセットのケース挿入口部に差し込まれて当該テープカセットの可動子に圧接することによって、当該テープカセットの第１突起部が当該テープカセットの第１ケース開口部から突出した付勢状態を保持することから、当該印字装置のカセット装着部に当該テープカセットが装着された場合に、当該印字装置の蓋体が開状態にあるときには、当該テープカセットの第１突起部が当該テープカセットの第１ケース開口部から突出した付勢状態を確実に実現することが可能となり、もって、当該印字装置の蓋体が開状態であることを判別することをテープ種類判別装置によって確実に行うことができる。
【００１８】
尚、当該テープカセットの可動子については、一つ又は複数の第２突起部が設けられた可動子を一つ又は二つ以上の個数で構成してもよいし、一つの第１突起部と一つの第２突起部とが設けられた可動子を二つ以上の個数で構成してもよい。
【００１９】
また、本発明のテープカセットでは、第１ケース開口部又は第２ケース開口部に第１突起部又は第２突起部が摺動する案内リブを設ければ、印字装置のカセット装着部に当該テープカセットが装着された場合に、印字装置の蓋体が開状態から閉状態になった際には、第１突起部及び第２突起部を設けた可動子の移動が案内リブによりスムーズに案内されることから、印字装置のテープ種類判別装置が当該テープカセットの第２突起部を確実に検出することができる。
【図面の簡単な説明】
【００２０】
【図１】本実施形態に係る印字装置の平面図である。
【図２】本実施形態に係る印字装置の側面図である。
【図３】本実施形態に係るテープカセットの斜視図である。
【図４】本実施形態に係るテープカセットの一部分の断面図である。
【図５】本実施形態に係る印字装置のテープ種類判別装置の判別原理を示す図である。
【図６】本実施形態に係る印字装置のテープ種類判別装置の判別原理を示す図である。
【発明を実施するための最良の形態】
【００２１】
以下、本発明の一実施形態を図面を参照にして説明する。図１は、本実施形態に係る印字装置１の平面図である。図２は、印字装置１の側面図である。印字装置１は、ラベル作成用のプリンタである。図１や図２に示すように、印字装置１には、蓋体２やカセット装着部３が設けられている。
【００２２】
カセット装着部３には、テープ種類判別装置１１が設けられている。図５や図６は、テープ種類判別装置１１の判別原理を示す図である。図５や図６に示すように、テープ種類判別装置１１は、本体１２と複数の検出スイッチ１３を有している。各検出スイッチ１３は、本体１２に縦向きに設けられ、カセット装着部３に設けられた各貫通孔４を介して、カセット装着部３から上方に突出している。さらに、各検出スイッチ１３は、本体１１に内蔵された各スプリングにより、それぞれ独立して、上方へ付勢されている。尚、テープ種類判別装置１１の判別原理は後述する。
【００２３】
図１や図２に戻って、カセット装着部３は、蓋体２が閉じられた状態では、蓋体２によって覆われる。但し、蓋体２は、開閉可能なように回動自在に設けられている。従って、蓋体２が開けられた状態では、カセット装着部３が露出する。
【００２４】
露出したカセット装着部３には、ユーザーは、本実施形態に係るテープカセット１０１を入れたり外したりすることができる。従って、ユーザーは、テープカセット１０１をカセット装着部３に入れ、蓋体２を閉じると、テープカセット１０１を印字装置１のカセット装着部３に装着することができる。
【００２５】
図３は、テープカセット１０１の斜視図である。テープカセット１０１は、インクリボン１０２やテープ１０３をカセットケース１１１に収納している。インクリボン１０２やテープ１０３は、本発明の「印字テープ」に相当する。すなわち、テープカセット１０１には、インクリボン１０２の幅・色・質が異なったり、テープ１０３の幅・構造等が異なったものが存在する。
【００２６】
カセットケース１１１の上面には、第１ケース開口部１１２が設けられている。第１ケース開口部１１２には、第１突起部１２３が挿通している。図４は、テープカセット１０１の一部分（第１ケース開口部１１２が設けられている角部）の断面図である。図４に示すように、第１突起部１２３は、カセットケース１１１に内蔵された可動子１２１の一部である。可動子１２１は、本体１２２と、第１突起部１２３と、第２突起部１２４とを有する。
【００２７】
第１突起部１２３は、本体１２２から突出し、カセットケース１１１の上面に設けられた第１ケース開口部１１２に挿通されている。第２突起部１２４は、第１突起部１２３とは反対方向に本体１２２から突出し、カセットケース１１１の下面に設けられた第２ケース開口部１１３に挿通されている。
【００２８】
第１ケース開口部１１２と第２ケース開口部１１３においては、カセットケース１１１の内側に案内リブ１１５がそれぞれ設けられている。案内リブ１１５の内面では第１突起部１２３や第２突起部１２４が摺動し、また、案内リブ１１５の端面には本体１２２が突き当たる。これにより、テープカセット１０１は、可動子１２１がカセットケース１１１内を往復移動できるような構成になっている。
【００２９】
さらに、図３や図４に示すように、第１ケース開口部１１２が設けられたカセットケース１１１の上面を上側に、第２ケース開口部１１３が設けられたカセットケース１１１の下面を下側にすることにより、テープカセット１０１を印字装置１のカセット装着部３に装着されたときと同じ状態にすると、可動子１２１の本体１２２は重力により下側に移動する。これにより、テープカセット１０１は、印字装置１のカセット装着部３に装着されたときに、可動子１２１の本体１２２が第１ケース開口部１１２側の案内リブ１１５の端面から離間するとともに、可動子１２１の本体１２２が第２ケース開口部１１３側の案内リブ１１５の端面に突き当たるような構成になっている。
【００３０】
ところで、カセットケース１１１の下面に設けられた第２ケース開口部１１３の個数は、テープ種類判別装置１１の検出スイッチ１３の個数と同じである。一方、第２ケース開口部１１３に挿通されている第２突起部１２４の個数は、第２ケース開口部１１３の個数と同じとは限らない。なぜなら、第２突起部１２４で構成される組合せパターンを、テープカセット１０１で使用しているインクリボン１０２の幅・色・質やテープ１０３の幅・構造等の組合せパターンに一対一で対応させているからである。従って、全ての第２ケース開口部１１３に第２突起部１２４が挿通されているとは限らない。
【００３１】
次に、印字装置１のテープ種類判別装置１１の判別原理を説明する。印字装置１において、蓋体２が開けられ、カセット装着部３にテープカセット１０１が入れられると、図５（ａ）に示すように、テープカセット１０１の各第２ケース開口部１１３は、テープ種類判別装置１１の各検出スイッチ１３とそれぞれ対向した位置を占める。従って、テープ種類判別装置１１の各検出スイッチ１３は、テープカセット１０１の各第２ケース開口部１１３に入り込む。このとき、テープカセット１０１の第２突起部１２４に対しては、テープ種類判別装置１１の検出スイッチ１３が突き当たり、テープ種類判別装置１１の検出スイッチ１３の付勢力が作用する。よって、テープカセット１０１の可動子１２１は上側に移動するので、可動子１２１の本体１２２が第２ケース開口部１１３側の案内リブ１１５の端面から離間するとともに、可動子１２１の本体１２２が第１ケース開口部１１２側の案内リブ１１５の端面に突き当たる。これにより、テープカセット１０１の第１突起部１２３が、カセットケース１１１の第１ケース開口部１１２から突出した付勢状態となる。このとき、テープ種類判別装置１１の各検出スイッチ１３は、カセット装着部３から上方に突出した状態が維持され、検出信号が発生することはない。
【００３２】
その後、印字装置１において、蓋体２が閉じられると、図５（ｂ）に示すように、テープカセット１０１の第１突起部１２３は、蓋体２に設けられた押下部５によって押し込まれる。これにより、その押込力がテープカセット１０１の第１突起部１２３に作用する。よって、テープカセット１０１の可動子１２１は下側に移動するので、可動子１２１の本体１２２が第１ケース開口部１１２側の案内リブ１１５の端面から離間するとともに、可動子１２１の本体１２２が第２ケース開口部１１３側の案内リブ１１５の端面に突き当たる。これにより、テープ種類判別装置１１の各検出スイッチ１３のうち、テープカセット１０１の第２突起部１２４と突き当たっているものに限って、下側に押下され、検出信号を発生させる。テープ種類判別装置１１では、発生した検出信号の組合せパターンにより、テープカセット１０１の第２突起部１２４の組合せパターンを認識することができるので、テープカセット１０１で使用しているインクリボン１０２の幅・色・質やテープ１０３の幅・構造等を判別することが可能となる。
【００３３】
また、印字装置１においては、蓋体２が閉じていれば、テープ種類判別装置１１が有する複数の検出スイッチ１３のいずれかから検出信号が発生することになる。
【００３４】
以上詳細に説明したように、印字装置１のカセット装着部３にテープカセット１０１が装着された場合には、図５（ａ）（ｂ）に示すように、テープカセット１０１の可動子１２１が印字装置１のテープ種類判別装置１１に対向して位置するとともに、印字装置１の蓋体２が開状態にあるときは、図５（ａ）に示すように、テープカセット１０１の第１突起部１２３がテープカセット１０１の第１ケース開口部１１２から突出した付勢状態にある。印字装置１の蓋体２が開状態から閉状態になると、図５（ｂ）に示すように、印字装置１の蓋体２がテープカセット１０１の第１突起部１２３に圧接して、テープカセット１０１の可動子１２１がテープカセット１０１の第２ケース開口部１１３に向かって移動し、テープカセット１０１の第２突起部１２４がテープカセット１０１の第２ケース開口部１１３を通して印字装置１のテープ種類判別装置１１に検出される。よって、本実施の形態では、テープカセット１０１のインクリボン１０２の幅・色・質やテープ１０３の幅・構造等が印字装置１のテープ種類判別装置１１で判別可能な状態になると同時に、印字装置１の蓋体２の閉状態が印字装置１のテープ種類判別装置１１で判別可能な状態になることから、テープカセット１０１に収納されたインクリボン１０２の幅・色・質やテープ１０３の幅・構造等を判別することと印字装置１の蓋体２が閉状態であることを判別することを一緒に行うことができる。
【００３５】
従って、印字装置１の蓋体２が開状態にあるときは、図５（ａ）に示すように、テープカセット１０１の第１突起部１２３がテープカセット１０１の第１ケース開口部１１２から突出した付勢状態にある。このような状態にあるときは、テープカセット１０１の第２突起部１２４を印字装置１のテープ種類判別装置１１が検出することができないので、テープカセット１０１のインクリボン１０２の幅・色・質やテープ１０３の幅・構造等が印字装置１のテープ種類判別装置１１で判別することができない。よって、本実施の形態では、テープカセット１０１のインクリボン１０２の幅・色・質やテープ１０３の幅・構造等が判別できない状態を利用して、印字装置１の蓋体２が開状態であることを判別することも可能となる。
【００３６】
このように、テープカセット１０１の可動子１２１と印字装置１のテープ種類判別装置１１が協働することによって、テープカセット１０１に収納されたインクリボン１０２の幅・色・質やテープ１０３の幅・構造等が判別され、さらに、印字装置１の蓋体２が閉状態であることが一緒に判別されることから、テープ種類判別装置１１という一つのセンサ装置で双方の判別を行うことが可能となる。よって、本実施の形態では、センサ用回路の複雑化の防止が実現し、双方の判別のための処理制御を一緒に行うことができるので、双方の判別が可能となっても、印字装置１のコストアップを阻止することが可能となる。
【００３７】
また、テープカセット１０１では、第１ケース開口部１１２と第２ケース開口部１１３に第１突起部１２３と第２突起部１２４が摺動する案内リブ１１５を設けている。従って、印字装置１のカセット装着部３にテープカセット１０１が装着された場合に、印字装置１の蓋体２が開状態から閉状態になった際には、第１突起部１２３及び第２突起部１２４を設けた可動子１２１の移動が案内リブ１１５によりスムーズに案内される。よって、本実施の形態では、印字装置１のテープ種類判別装置１１がテープカセット１０１の第２突起部１２４を確実に検出することができる。
【００３８】
尚、本発明は上記実施の形態に限定されるものでなく、その趣旨を逸脱しない範囲で様々な変更が可能である。
例えば、テープカセット１０１においては、第１突起部１２３が第１ケース開口部１１２から突出した状態となるための付勢力を、カセットケース１１１に内蔵させたバネによって確保してもよい。そのバネは、可動子１２１の本体１２２と第２ケース開口部１１３側の案内リブ１１５の間に介在させる。
【００３９】
また、その付勢力は、印字装置１の側においてテープ種類判別装置１１以外でも確保してもよい。そのためには、図６に示すように、テープカセット１０１において、カセットケース１１１の下面にケース挿入口部１１４を形成する。一方、印字装置１のカセット装着部３において、印字装置側付勢部材２１を設ける。印字装置側付勢部材２１は、筒状本体２２と突起部２３とバネ２４とで構成される。筒状本体２２は、カセット装着部３の底面に設けられた筒状部と、筒状部の上端を覆う上面部からなる。上面部は筒状部の内径より小さい径を有する円形の開口を有する。突起部２３は、筒状本体２２の筒状部の内径とほぼ同径の突起本体と、筒状本体２２の上面部の開口とほぼ同径の突起突出部とからなる。突起部２３の突起本体は筒状本体２２の筒状部に摺接し、突起部２３の突起突出部は筒状本体２２の上面部の開口周囲に摺接しながら、突起部２３は筒状本体２２の内部を上下動可能に構成されている。突起部２３とカセット装着部３の底面との間にはバネ２４が装着され、突起部２３は上方に付勢されている。尚、印字装置１のカセット装着部３にテープカセット１０１が入れられていない場合には、突起部２３がバネ２４の付勢力によって筒状本体２２から突出した状態にある。
【００４０】
そして、印字装置１において、蓋体２が開けられ、カセット装着部３にテープカセット１０１が入れられると、図６（ａ）に示すように、テープカセット１０１のケース挿入口部１１４は、印字装置側付勢部材２１の突起部２３と対向した位置を占める。従って、印字装置側付勢部材２１の突起部２３は、テープカセット１０１のケース挿入口部１１４に入り込む。このとき、テープカセット１０１の可動子１２１の本体１２２に対しては、印字装置側付勢部材２１の突起部２３が突き当たり、印字装置側付勢部材２１の付勢力が作用する。よって、テープカセット１０１の可動子１２１は上側に移動するので、可動子１２１の本体１２２が第２ケース開口部１１３側の案内リブ１１５の端面から離間するとともに、可動子１２１の本体１２２が第１ケース開口部１１２側の案内リブ１１５の端面に突き当たる。これにより、テープカセット１０１の第１突起部１２３が、カセットケース１１１の第１ケース開口部１１２から突出した付勢状態となる。
【００４１】
また、テープカセット１０１の各第２ケース開口部１１３は、テープ種類判別装置１１の各検出スイッチ１３とそれぞれ対向した位置を占める。従って、テープ種類判別装置１１の各検出スイッチ１３は、テープカセット１０１の各第２ケース開口部１１３に入り込む。このとき、テープ種類判別装置１１の検出スイッチ１３の中には、テープカセット１０１の第２突起部１２４に突き当たるものもあるが、テープ種類判別装置１１の各検出スイッチ１３は、カセット装着部３から上方に突出した状態が維持され、検出信号が発生することはない。
【００４２】
その後、印字装置１において、蓋体２が閉じられると、図６（ｂ）に示すように、テープカセット１０１の第１突起部１２３は、蓋体２に設けられた押下部５によって押し込まれる。これにより、その押込力がテープカセット１０１の第１突起部１２３に作用する。よって、テープカセット１０１の可動子１２１は下側に移動するので、可動子１２１の本体１２２が第１ケース開口部１１２側の案内リブ１１５の端面から離間するとともに、可動子１２１の本体１２２が第２ケース開口部１１３側の案内リブ１１５の端面に突き当たる。これにより、テープ種類判別装置１１の各検出スイッチ１３のうち、テープカセット１０１の第２突起部１２４と突き当たっているものに限って、下側に押下され、検出信号を発生させる。テープ種類判別装置１１では、発生した検出信号の組合せパターンにより、テープカセット１０１の第２突起部１２４の組合せパターンを認識することができるので、テープカセット１０１で使用しているインクリボン１０２の幅・色・質やテープ１０３の幅・構造等を判別することが可能となる。
【００４３】
また、印字装置１においては、蓋体２が閉じていれば、テープ種類判別装置１１が有する複数の検出スイッチ１３のいずれかから検出信号が発生することになる。
【００４４】
以上より、印字装置１のカセット装着部３にテープカセット１０１が装着された場合には、図６（ａ）（ｂ）に示すように、印字装置１の印字装置側付勢部材２１が、テープカセット１０１のケース挿入口部１１４に差し込まれてテープカセット１０１の可動子１２１に圧接する。これにより、図６（ａ）に示すように、テープカセット１０１の第１突起部１２３がテープカセット１０１の第１ケース開口部１１２から突出した付勢状態を保持する。よって、本実施の形態では、印字装置１のカセット装着部３にテープカセット１０１が装着された場合に、印字装置１の蓋体２が開状態にあるときには、テープカセット１０１の第１突起部１２３がテープカセット１０１の第１ケース開口部１１２から突出した付勢状態を確実に実現することが可能となり、もって、印字装置１の蓋体２が開状態であることを判別することをテープ種類判別装置１１によって確実に行うことができる。
【００４５】
また、テープカセット１０１の可動子１２１については、案内リブ１１５に突き当たる段差を両側に設けた棒状のものを本体１２２とし、その本体１２２の一端部分を第１突起部１２３とし、その本体の他端部分を第２突起部１２４として構成してもよい。この場合には、各第２ケース開口部１１３と平面視で重なるようにして、第２ケース開口部１１３の個数と同数の第１ケース開口部１１２及び案内リブ１１５をカセットケース１１１の上面に設ける。そして、このような構成の可動子１２１を一又は複数用意し、テープカセット１０１で使用しているインクリボン１０２の幅・色・質やテープ１０３の幅・構造等に応じて、平面視で重なる第１ケース開口部１１２と第２ケース開口部１１３とに可動子１２１の両端部分を挿通させる。  
【符号の説明】
【００４６】
１  印字装置
２  蓋体
３  カセット装着部
１１  テープ種類判別装置
２１  印字装置側付勢部材
１０１  テープカセット  
１１１  カセットケース
１１２  第１ケース開口部
１１３  第２ケース開口部
１１４  ケース挿入口部
１１５  案内リブ
１２１  可動子
１２３  第１突起部
１２４  第２突起部
【図１】
2011046142.tif 000003
【図２】
2011046142.tif 000004
【図３】
2011046142.tif 000005
【図４】
2011046142.tif 000006
【図５】
2011046142.tif 000007
【図６】
2011046142.tif 000008